(57)【要約】【課題】下水道のような大口径流路の下部を流れる外部流体と効率よく熱交換できる耐久性の高い熱交換器を提供する。【解決手段】下水管１の底面１ａを流れる通常時液面の浅い下水２の液中に設置され、下水２と熱交換部内部の熱媒流路を流れる熱媒流体との間で熱交換させるプレート型の熱交換器１０が、下水管１の底面１ａと熱交換部の下面とを非接触状態にして通常時液面と略平行に設置されている。【選択図】図１０
2014043967.tif 000002
【特許請求の範囲】
【請求項１】
熱源流路の下部を流れる通常時液面の浅い熱源流体の液中に設置され、前記熱源流体と熱交換部内部の熱媒流路を流れる熱媒流体との間で熱交換させるプレート型の熱交換器であって、
前記熱源流路の底面と前記熱交換部の下面とを非接触状態にして前記通常時液面と略平行に設置されていることを特徴とする熱交換器。
【請求項２】
前記熱交換部の上面に上方向へ突出する凸部が形成されていることを特徴とする請求項１に記載の熱交換器。
【請求項３】
前記凸部は、前記熱源流体の流れ方向と直交しないように配列されて前記熱媒流路を形成していることを特徴とする請求項２に記載の熱交換器。
【請求項４】
前記熱交換部の下面側に熱媒流体の入口及び出口が設けられていることを特徴とする請求項１から３のいずれか１項に記載の熱交換器。
【請求項５】
前記熱源流路内の所定位置に固定設置する固定部が設けられていることを特徴とする請求項１から４のいずれか１項に記載の熱交換器。
【請求項６】
前記熱交換部の下面と前記熱源流路の底面との間に設置された支持脚を備えていることを特徴とする請求項１から５のいずれか１項に記載の熱交換器。
【発明の詳細な説明】
【技術分野】
【０００１】
本発明は、例えば下水道のように、大口径の流路下部を流れる流体から効率よく熱交換する熱交換器の構造に関する。
【背景技術】
【０００２】
近年、例えば下水等の未利用熱源を有効利用して、効率的に熱回収することが試みられている。
引用文献１は、排水から熱を抽出するための熱交換器及び設備に関するものであり、下水管路で熱交換する技術が開示されている。この場合、熱伝導率を妨げる下水被膜の形成を抑えるため、熱交換システムにある間隔で銅または銅合金の帯を組み込むことが提案されている。
引用文献２は、下水熱採熱設備及び下水熱利用システムに関するものであり、下水管路で熱交換する技術が開示されている。この場合、下水管路外周の少なくとも上方に採熱管を設置し、下水の流れと直接接触しない構造にしてメンテナンスコスト等を抑えることが提案されている。
【先行技術文献】
【特許文献】
【０００３】
【特許文献１】特表２００７−５３５６５１号公報
【特許文献２】特開２００８−２４１２２６号公報
【発明の概要】
【発明が解決しようとする課題】
【０００４】
ところで、従来の熱交換器は、シェルアンドチューブやプレート熱交換器等のユニット構造を前提としており、熱源となる流体をポンプで強制的に流す必要があった。このような構造の熱交換器は、勾配を利用して流れを作る川、溝及び下水等の流れから熱を取り出すには適していない。
また、伝熱部を伝熱管形状で露出させて流れに設置する構造の熱交換器は、流れに異物等が含まれると破損するリスクが高いため、清浄な流体への適用に限定されるといった問題を有している。
【０００５】
このような背景から、例えば下水道のような大口径の流路下部を流れる外部流体と熱交換器の内部流体とが効率よく熱交換でき、しかも、異物を含む外部流体であっても破損のリスクを低減した耐久性や信頼性の高い熱交換器の構造が求められる。
本発明は、上記の課題を解決するためになされたもので、その目的とするところは、下水道のような大口径流路の下部を流れる外部流体と効率よく熱交換できる耐久性の高い熱交換器を提供することにある。
【課題を解決するための手段】
【０００６】
本発明は、上記の課題を解決するため、下記の手段を採用した。
本発明に係る熱交換器は、熱源流路の下部を流れる通常時液面の浅い熱源流体の液中に設置され、前記熱源流体と熱交換部内部の熱媒流路を流れる熱媒流体との間で熱交換させるプレート型の熱交換器であって、前記熱源流路の底面と前記熱交換部の下面とを非接触状態にして前記通常時液面と略平行に設置されていることを特徴とするものである。
【０００７】
このような熱交換器によれば、熱源流路の底面と熱交換部の下面とを非接触状態にして通常時液面と略平行に設置されているので、熱交換器の上下面がともに通常時液面の浅い熱源流体の流れと接するように設置されている。このため、熱交換器は、熱源流体の浅い流れと上下両面での熱交換が可能になる。
【０００８】
上記の熱交換器において、前記熱交換部の上面に上方向へ突出する凸部が形成されていることが好ましく、これにより、熱源流体が主に流れる上面側での接触面積を増すことができる。
この場合、前記凸部は、前記熱源流体の流れ方向と直交しないように配列されて前記熱媒流路を形成していることが好ましく、これにより、熱源流体の主流を熱源流路に沿ってスムーズに流すことができる。なお、熱源流体の流れ方向と直交しない配列は、流れ方向と平行に形成されたものだけでなく、例えばＶ字状に形成されたものも包含する。
【０００９】
上記の熱交換器においては、前記熱交換部の下面側に熱媒流体の入口及び出口を設けることが好ましく、これにより、例えば複数の熱交換器を連結する場合には、連結部を下面側とすることにより、熱源流体が下水等の異物を含む流体であっても良好な流下性を確保できる。
【００１０】
上記の熱交換器においては、前記熱源流路内の所定位置に固定設置するための固定部を備えていることが好ましく、これにより、熱源流体の流量が増加した場合であっても、熱交換器が所定位置から流されることはない。
また、上記の熱交換器においては、前記熱交換部の下面と前記熱源流路の底面との間に設置された支持脚を備えていることが好ましく、これにより、熱交換器上をメンテナンス等の通路に使用しても撓まないように、十分な強度を確保することができる。
【発明の効果】
【００１１】
上述した本発明の熱交換器によれば、下水道のような大口径の流路下部を流れる熱源流体と熱交換器内を流れる熱媒流体とを効率よく熱交換でき、しかも、熱源流体が異物を含むものであっても破損のリスクを低減し、耐久性や信頼性の向上に有効である。
すなわち、下水等のように浅い流れの未利用熱源から効率的に熱回収でき、しかも雨天時の強い流れに押し流されることもなく、長期的に耐えうる構造の熱交換器となる。
【図面の簡単な説明】
【００１２】
【図１】本発明に係る熱交換器の一実施形態を示す平面図である。
【図２】図１のＡ−Ａ断面図である。
【図３】図１のＢ−Ｂ断面図であり、（ａ）は箱型（矩形）断面の凸部、（ｂ）は山形断面の凸部、（ｃ）は円弧断面の凸部、（ｄ）は波形断面の凸部、（ｅ）はフィン形状断面の凸部とした場合を示している。
【図４】熱交換部の上面に形成した四角錐形状のディンプル（凸部）構成例を示す図で、（ａ）は平面図、（ｂ）は（ａ）のＣ−Ｃ断面図である。
【図５】熱交換部の上面に形成した略半球状のディンプル（凸部）構成例を示す図で、（ａ）は平面図、（ｂ）は（ａ）のＤ−Ｄ断面図である。
【図６】本発明に係るプレート型の熱交換器について、製造手順の概要を示す説明図である。
【図７】本発明に係る熱交換器について、他の実施形態を示す平面図である。
【図８】図１に示した熱交換器を直列に接続した平面図である。
【図９】熱交換器を並列に接続した場合の平面図である。
【図１０】本発明の熱交換器を下水管の流路内に複数設置した状態の概要を示す斜視図である。
【図１１】図１０の熱交換器について配管連結部の構成例を示す図で、（ａ）は側面図、（ｂ）はカバーの平面図である。
【図１２】図１０の熱交換器について、隣接する熱交換器間の連結構造例を示す要部の縦断面図である。
【図１３】図１０に示した熱交換器の最も上流側にスリット付カバーを設けた構成例を示す図で、（ａ）は概要を示す斜視図、（ｂ）は要部の縦断面図である。
【図１４】本発明に係る熱交換器の固定構造例を示す平面図である。
【図１５】（ａ）は図１４のボルト固定部を示す縦断面図、（ｂ）は下水管側に設けたねじ穴の拡大図である。
【図１６】図９の並列接続時について配管連結部の配置例を示す縦断面図である。
【図１７】熱交換器の厚さを２０ｍｍ、熱交換器上の最小水深を１０ｍｍと仮定した場合について、下水管の管径（Ｄ）に対する熱交換器幅（Ｗ）の比率（Ｗ／Ｄ）を示す図である。
【発明を実施するための形態】
【００１３】
以下、本発明に係る熱交換器の一実施形態を図面に基づいて説明する。
本実施形態の熱交換器１０は、例えば図１０に示すように、土管とも呼ばれる下水管（熱源流路）１の下部（底面部）を流れている下水（熱源流体）２の液中に設置される。この下水２は、通常時液面（水深）の浅い流れであるが、例えば集中豪雨等の異常時においては、大幅な液面上昇により流量や流速が増加した流れとなる。
【００１４】
本実施形態で使用する熱交換器１０はプレート型であり、熱交換器１０の外部を流れる下水２と、熱交換器１０の内部を流れる水等の熱媒流体との間で熱交換される。この熱交換器１０は、例えば図１〜図３に示すように、平面視が長方形の形状を有する略平板形状とされる。この熱交換器１０は、下水管１の内部において、下水管１の底面１ａと後述する熱交換部２０の下面とが非接触となるように、すなわち底面１ａから浮かせた状態にして、下水２の液中で通常時液面と略平行に固定設置されている。
なお、以下の実施形態では、下水２の温度が熱媒流体より高温である場合について、すなわち熱媒流体が下水２から吸熱する熱交換を行う場合について説明するが、熱交換の温度関係を逆にして熱媒流体が下水２に放熱する場合にも適用可能である。
【００１５】
プレート式の熱交換器１０を製造する際には、例えば図６に示すように、プレス成形した上面部材１１及び下面部材１２の間にＮｉ薄膜等のロウ材１３を挟み込んで重ね合わせた後、ボルト締め等により矢印Ｐの方向に圧縮した状態のまま真空炉に入れて加熱処理する。この場合、上面部材１１及び下面部材１２にはステンレス（ＳＵＳ）の金属板を使用するが、下水２の液中という設置環境を考慮すると、応力腐食割れを防止する防錆対策として、一般的なオーステナイト系ステンレス材よりも腐食に強いフェライト系ステンレス材を採用することが望ましい。また、熱交換器１０の防錆対策として、必要に応じて防錆塗装やメッキ処理によるコーティングを施してもよい。なお、ロウ材１３としてのＮｉ薄膜を採用することは、防錆対策の面でも望ましい。
すなわち、本実施形態の熱交換器１０は、十分に強度を有した形状の上面部材１１及び下面部材１２を組み合わせた構造とされ、伝熱面積を増す工夫をしたものである。
【００１６】
熱交換部２０は、熱媒流体が熱媒入口２１から流入して熱媒出口２２から流出するまでの間において、熱媒流体が熱交換器１０の外部を流れる下水２と熱交換する領域である。熱交換部２０の内部には、熱媒流体を流す流路となる空間部として、熱媒入口２１に連通する入口ヘッダー部２３と、熱媒流体を矢印Ｆの方向へ流す流路（熱媒流路）となる多数のパス２４と、熱媒出口２２に連通する出口ヘッダー部２５とが形成されている。
なお、熱媒入口２１及び熱媒出口２２は、下水流量が上面の主流と比較して少ない熱交換器１０の下面側に設けられている。
【００１７】
入口ヘッダー部２３及び出口ヘッダー部２５は、下水２の流れ方向と直交するように、下面部材１２を下方へ膨出させて形成した空間部である。そして、多数のパス２４となる空間部は、互いに平行となる入口ヘッダー部２３及び出口ヘッダー部２５を連結するようにして、上面部材１１を上方へ膨出させて下水２の流れ方向と平行に形成されている。このような入口ヘッダー部２３及び出口ヘッダー部２５を備えることで、各パス２４に対して略均等に分配した熱媒流体を流すことができる。
【００１８】
本実施形態のパス２４は、上面部材１１をプレス成形することにより、熱交換器１０の熱交換部２０において上面から上方向に形成された凸部であり、この凸部と対向する部分の下面部材１２は平面となっている。このようなパス２４の断面形状には、例えば図３（ａ）〜（ｅ）に示すように、箱型（矩形）断面の凸部としたパス２４ａ、山形断面の凸部としたパス２４ｂ、円弧断面の凸部としたパス２４ｃ、波形断面の凸部としたパス２４ｄ、フィン形状断面の凸部としたパス２４ｅ等がある。なお、フィン形状断面のように突出高さの大きい凸部としたパス２４ｅは、汚れの付着しやすい下水２との熱交換において伝熱面積の確保に有効である。
また、隣接するパス２４間においても、上面部材１１と下面部材１２との間に空間部が形成されて熱媒流体を流す流路となっている。
【００１９】
すなわち、熱交換器１０の熱交換部２０は、上方向に形成された凸部となるパス２４を有する上面部材（上面）１１と、平面に形成された下面部材（下面）１２とを備えているので、下水管１内において下水２が主に流れる上面側での接触面積を増すことができ、流れの少ない下面側では流路抵抗を最小限に抑えることができる。換言すれば、下水管１の内部を流れる下水２は、主流が水面に近い上面側を流れるのに対し、底面１ａに近い下面側では少量が流れるので、上面側に突設して伝熱面積を増したパス２４を介して、下水２の主流と効率よく熱交換して吸熱することができる。
【００２０】
また、熱媒流体が流れるパス２４は、上面側を流れる下水２の主流と平行に形成された凸部となっているので、熱源流体主流の流路抵抗となることもない。このようなパス２４は、熱源流体の流れ方向と平行なものに限定されることはなく、例えば図７に示す他の実施形態のように、流れ方向に対してＶ字状に形成されたものでもよい。すなわち、熱媒流体が流れるパス２４は、熱源流体の流れ方向と直交しないように形成されていることが望ましい。
【００２１】
また、熱交換器１０の熱交換部２０は、流れの少ない下面側を平面にしたので、下水２のように異物を含む熱源流体を使用する場合であっても、異物等の滞留や引っ掛かりによる詰まりが生じにくくなる。なお、熱交換器１０の下面側となる下面部材１２は、強度を持たせるために比較的板厚（例えば３ｍｍ程度）のある板材を使用し、プレス成形が容易になる平易な形状とすることが望ましい。
【００２２】
ところで、上述した熱交換器１０の熱交換部２０は、下水２の流れと接触する上面部材１１の表面積を増すため、例えば図４及び図５に示すように、必要に応じて適所に１または複数のディンプル２６，２７を形成してもよい。このディンプル２６，２７は、上面部材１１の表面から外向きに突出するものであり、例えば図４に示す四角錐形状のものや、図５に示す略半球状のものがあり、上面部材１１のプレス成形と同時に設けることが可能である。この場合、ディンプル２６，２７を形成する適所としては、例えば隣接するパス２４の間に形成される平面部等がある。
【００２３】
また、このようなディンプル２６，２７は、上面部材１１や下面部材１２の剛性向上にも有効である。このため、例えばメンテナンス時等において、熱交換器１０を下水管１内の歩行通路としても利用する場合には、強度や耐久性の向上に有効である。
また、熱交換器１０の下面側については、例えば図１５（ａ）に想像線で示すように、必要に応じて支持脚７０を設けてもよい。このような支持脚７０は、熱交換部２０の下面と下水管１の底面１ａとの間に設置される柱状の部材であり、特に熱交換器１０が幅広の場合に有効である。
【００２４】
すなわち、熱交換器幅Ｗ（図１７参照）が８００ｍｍ程度の幅広となる場合には、熱交換器１０の上面をメンテナンス通路等として使用することもあるので、撓みを生じないように十分な強度や剛性を確保することが必要になる。従って、熱交換器１０の幅方向に１または複数の支持脚７０を設けて下面を支持することにより、歩行者や作業機械等の荷重は支持脚７０を介して下水管１の底面１ａで受けることができ、この結果、撓みを抑制するとともに荷重に対する強度や耐久性を確保することができる。
なお、この場合の支持脚７０は、下水２の流れと接する熱交換部２０の下面において表面積の減少を最小限に抑えることや、下水２の流路抵抗低減を考慮した形状（例えば流線型断面）とすることが望ましい。
【００２５】
次に、図７に示す他の実施形態では、熱交換器１０Ａのパス２４Ａが下水流れ方向に対してＶ字状に配列されている。
図示の構成例では、中央部に熱源流体流れ方向のフラット部２８を形成し、Ｖ字状のパス２４Ａがフラット部２８の両サイドに配置されている。この場合、フラット部２８及び凹部２９によりＶ字状のパス２４Ａが形成されており、熱媒入口２１Ａから流入した熱媒流体は、図中に矢印で示すように、熱源流体流れ方向と交差する方向において略往復するパス２４Ａの経路を通って流れ、最終的に熱媒出口２２Ａから流出する。
【００２６】
このような熱交換器１０Ａは、後述する並列接続に適するとともに、中央部に熱源流体流れ方向のフラット部２８が設けられているので、雨天時等に下水管１内の流量が増すと異物を流す流路として機能する。すなわち、熱交換器１０Ａは、汚れ等の付着や異物の停滞を防ぐために有利な構造となる。
なお、上述したフラット部２８については、必ずしも異物を流す流路となる幅を有する必要はなく、単にＶ字状のパス２４Ａの仕切用凹部としてもよい。
【００２７】
さて、上述した熱交換器１０は、図１０に示すように、下水管１の内部に複数を並べて使用される。
以下では、下水２の流れ方向に並べた熱交換器１０の間を連結する部分の構造について説明する。このような熱交換器１０の連結は、直列に接続する場合（図８参照）や並列に接続する場合（図９参照）がある。
【００２８】
熱交換器１０を直列に接続する場合、熱媒入口２１及び熱媒出口２２は、下水２の流れが少ない下面の一端部側に設けられているので、例えば図１１に示すように、隣接する熱媒入口２１と熱媒出口２２との間が、熱交換器１０の下部において流れ方向の連結管４０で接続される。すなわち、熱媒入口２１、熱媒出口２２及び連結管４０は、熱交換器１０の下面において一端部側に位置するので、熱交換器１０の下面を比較的少量が流れる下水流の妨げとなりにくく、異物の多い下水２の良好な流下性を確保することができる。
【００２９】
一方、上述した連結管４０による熱媒入口２１及び熱媒出口２２の連結部は、間隙において下水２の流れが淀み、ごみ等の異物等がたまりやすい。
そこで、隣接する熱交換器１０間に形成される連結部の間隙には、連結用のカバー４１を設けてある。このカバー４１には、表裏を貫通するスリット４１ａを設けてある。このスリット４１ａは、下水２の出入りを許容しながらごみの出入りを抑制する形状とする。この結果、隣接する熱交換器１０の連結部においては、異物が滞留することなく下流へ流されていくようになる。
【００３０】
また、隣接する熱交換器１０は、両端の連結部に連結継手を備えている。この連結継手は、例えば図２や図１２に示すように、下水２の流れ方向において上流側の爪部１４が下流側の嵌合凹部１５に上から被せて嵌合するように構成されている。
このような嵌合構造の連結部とすれば、下水２の流量を増した強い流れを受けても外れにくくなり、しかも、平滑な面とすることができる。
【００３１】
また、複数の熱交換器１０を連結した先端部、すなわち下水２の流れ方向において最も上流側となる先端部には、例えば図１３に示すように、熱交換器１０より下部の下水流路にスリット部材４２を設置することが望ましい。このスリット部材４２は、熱交換器１０の先端部から上流側下方へ向けて傾斜設置されるもので、下水２の流れは許容するものの異物を通さないスリット形状を有している。従って、スリット部材４２の下流では、熱交換器１０の下部及び上部の両面において下水２の流れが許容された構造となる。
なお、スリット部材４２は、熱交換器１０の上面に向かって滑らかな勾配を設けて設置することが望ましく、この結果、異物は下水２の流れによって淀みなく熱交換器１０の上面側に流され、熱交換器１０の上面を通過して下水管１の下流へと流される。
【００３２】
次に、上述した熱交換器１０は、雨天等により下水２の水量が増した場合の強い流れに対応するため、所定位置において強固に固定することが必要になる。以下では、熱交換器１０を所定位置に固定する固定構造について、図１４から図１６を参照して説明する。
図１４に示す熱交換器１０は、アンカーボルト５０により複数箇所で下水管１の所定位置に固定する固定構造（固定部）と、重り６０を取り付けて流されないようにした固定補助構造とを併用しているが、諸条件（例えば下水管１のサイズ等）に応じていずれか一方のみでもよい。
【００３３】
アンカーボルト５０による固定構造は、例えば図１５に示すように、下水管１に雌ネジ穴１ｂを備えた固定座１ｃを設けておき、この固定座１ｃを利用してアンカーボルト５０を締め込むものである。この場合、下水管１内の所定位置に設置した熱交換器１０は、下水管１と接する端部適所に複数箇所設けた熱交ネジ穴３０と固定座１ｃの雌ネジ穴１ｂとを位置合わせして一致させた後、上方から挿入したアンカーボルト５０を締め込んで固定される。また、熱交ネジ穴３０は、固定後のアンカーボルト頭部が突出しないように、凹部を設けておくことが望ましい。
なお、熱交換器１０は、アンカーボルト５０の座面に強度が必要であるから、上述した熱交換器１０の製造時には、厚めの座金（不図示）を熱交ネジ穴３０にロウ付けにより固定しておくことが望ましい。
【００３４】
また、重り６０は、強い流れに流されないよう熱交換器１０の総重量を増すもので、図示しないボルト等により熱交換器１０の所定位置に取り付けて一体化されている。この重り６０は、下水管１内における下水２の流路抵抗を低減するため、下水２の流れ方向において流線形状とすることが望ましい。
【００３５】
図１６は、図９に示した並列接続時について、配管連結部の配置例を示す縦断面図である。この場合、熱交換器１０´は、熱媒出口２２の位置が熱交換器幅方向において異なっており、熱媒流体側を並列に接続する場合、熱媒流体供給配管３１及び熱媒流体回収配管３２は、熱交換器１０の両端部下方に配設されている。
【００３６】
複数の熱交換器１０を直列接続または並列接続にするかの判断は、熱源流体の圧力損失や熱交換により得たい温度差等の条件を考慮して決定する。また、熱交換器１０の長さについては、製造装置や設置工事等の制約から１ｍ程度になると推測されるため、並列接続にすると熱媒流体の流路が短くなり、最終的な温度差の確保が困難となる。このような場合には、Ｖ字状のパス配置とした熱交換器１０Ａを採用し、熱媒流体の流路長さを確保すればよい。
【００３７】
図１７は、下水管の管径（Ｄ）に対する熱交換器幅（Ｗ）の比率（Ｗ／Ｄ）を示す図である。
ここで、下水管１の管径Ｄを１０００ｍｍとした場合について、比率（Ｗ／Ｄ）を試算する。この試算において、１）大阪市水道設計指針から日平均汚水量を０．０１４ｍ３／ｓと推算し、２）日最低汚水量を「日平均汚水量÷１．２」と仮定する。この結果、下水管の標準流下能力及び水理特性曲線等より、日最小流量時の水深ｈを８３ｍｍと設定することができる。
【００３８】
従って、管径Ｄを１０００ｍｍ、日最小汚水量Ｑ０を０．０１１７ｍ３／ｓ、水深ｈを８３ｍｍ、熱交換器１０の厚さを２０ｍｍ、熱交換器１０上の最小水深を１０ｍｍと仮定した場合、熱交換器１０の幅は４４８ｍｍとなる。従って、この熱交換器幅Ｗは、下水管１の管径Ｄに対する熱交換器幅Ｗの比率（Ｗ／Ｄ）が４４．８％となる。
同様に計算した比率を図１７に示しており、管径Ｄが大きいほど熱交換器幅Ｗを大きくできることが分かる。
【００３９】
このように、上述した本実施形態の熱交換器は、下水道のような大口径流路の下部を流れる外部流体と効率よく熱交換できる耐久性の高いものとなる。
なお、本発明は上述した実施形態に限定されることはなく、温度の高い下水熱を取り出すことが可能になるのは勿論のこと、熱源流体として上水や河川水の利用も可能であるなど、その要旨を逸脱しない範囲内において適宜変更することができる。
【符号の説明】
【００４０】
１    下水管（熱源流路）
１ａ    底面
１ｂ    雌ネジ部
１ｃ    固定座
２    下水（熱源流体）
１０，１０´，１０Ａ    熱交換器
１１    上面部材
１２    下面部材
１３    ロウ材
１４    爪部
１５    嵌合凹部
２０    熱交換部
２１，２１Ａ    熱媒入口
２２，２２Ａ    熱媒出口
２３    入口ヘッダー部
２４，２４Ａ    パス（熱媒流路）
２５    出口ヘッダー部
２６，２７    ディンプル
２８    フラット部
２９    凹部
３０    熱交ネジ穴
３１    熱媒流体供給配管
３２    熱媒流体回収配管
４０    連結管
４１    カバー
４１ａ    スリット
４２    スリット部材
５０    アンカーボルト
６０    重り
７０    支持脚
【図１】
2014043967.tif 000003
【図２】
2014043967.tif 000004
【図３】
2014043967.tif 000005
【図４】
2014043967.tif 000006
【図５】
2014043967.tif 000007
【図６】
2014043967.tif 000008
【図７】
2014043967.tif 000009
【図８】
2014043967.tif 000010
【図９】
2014043967.tif 000011
【図１０】
2014043967.tif 000012
【図１１】
2014043967.tif 000013
【図１２】
2014043967.tif 000014
【図１３】
2014043967.tif 000015
【図１４】
2014043967.tif 000016
【図１５】
2014043967.tif 000017
【図１６】
2014043967.tif 000018
【図１７】
2014043967.tif 000019